(57)【要約】      （修正有）【課題】裏返し可能で、かつ型崩れしにくいハンドバックを提供する。【解決手段】本考案のハンドバック１０は、平らな面の底部を有し、当該ハンドバックの表面に位置する表生地と、前記表生地に貼り付けられた弾力性のある発泡芯材と、裏生地とによって構成されており、前記発泡芯材は、前記表生地及び前記裏生地よりも厚みが厚いことを特徴とする。上記発泡芯材は、０．２ｍｍ以上５ｍｍ以下の厚みであることが好ましい。発泡芯材を貼り合わせた表生地は革のような厚みを有していることが好ましい。【選択図】図１
0003217190.tif 000002
【実用新案登録請求の範囲】
【請求項１】
平らな面の底部を有するハンドバックであって、
前記バックハンドは、当該ハンドバックの表面に位置する表生地と、前記表生地に貼り付けられた弾力性のある発泡芯材と、裏生地とによって構成されており、
前記発泡芯材は、前記表生地及び前記裏生地よりも厚みが厚いことを特徴とするハンドバック。
【請求項２】
前記発泡芯材は、０．２ｍｍ以上５ｍｍ以下の厚みである請求項１に記載のハンドバック。
【考案の詳細な説明】
【技術分野】
【０００１】
本考案は、ハンドバックに関し、より詳細には、床に置いたときでも自立するハンドバックに関する。
【背景技術】
【０００２】
ハンドバックは、手軽に荷物を持ち運びできるものとして一般に利用されており、中でも女性は、ファッションの一部としてハンドバックをとらえ、複数の種類のハンドバックをケースバイケースで使い分けている。例えば、友達と遊びに出かけるときなどでは、カジュアルなデザインのハンドバック（カジュアルバック）が用いられ、冠婚葬祭に出席するときなどでは、黒を基調とするきっちりとしたデザインのハンドバック（フォーマルバック）が用いられる。
【０００３】
女性からのニーズとして、フォーマルな場とカジュアルな場の両用可能なハンドバックが欲しいという声はあるが、両方の特性を兼ね備えたハンドバックを製造することは困難という事情がある。この理由を、カジュアルバックの一例を示す特許文献１（特開２０１４−１８１０６０号）を参考にして説明する。
【０００４】
図３及び図４はそれぞれ、特許文献１に開示のハンドバックの前側及び後側の斜視図である。特許文献１に開示のハンドバック１１０は、図３及び図４に示すように、上側が開口しているバック本体１０１と、バック本体１０１の開口を跨ぐように取り付けられたかぶせ１０２と、バック本体１０１の上端に取り付けられた持ち手１０３と、を有している。このかぶせ１０２によってバック本体１０１の内部に収容された物品が外に出ないようにすることができる。
【０００５】
特許文献１に開示のハンドバック１１０は、各部の生地同士をミシンで縫い付けてバックの形に整えた上で、生地全体を裏返すことにより生地同士の間の縫い目が外側から見えないようにされている。このような従来のバックの製造過程では、各部を縫い付けた後の裏返し作業が必須であるため、硬質の生地を用いることができない。正確に言うと、硬質な生地を用いてバックを製造することもできなくはないが、裏返し作業中に生地が割れたり型崩れしたりしてうまく裏返せなくなってしまう。このため、特許文献１のように、変形しやすい材質の生地を用いてバックを製造せざるを得ないが、裏返した後のハンドバック１１０の表面に皺ができたり、ハンドバック１１０を床に置いたときに型崩れして自立できないので、フォーマル感が得られにくい。
【先行技術文献】
【特許文献】
【０００６】
【特許文献１】特開２００３−１９９６１０号公報
【考案の概要】
【考案が解決しようとする課題】
【０００７】
本考案は、上記の課題を解決するためになされたものであり、その目的とするところは、裏返し可能で、かつ型崩れしにくいハンドバックを提供するものである。
【課題を解決するための手段】
【０００８】
本考案のハンドバックは、平らな面の底部を有するものであって、当該ハンドバックの表面に位置する表生地と、前記表生地に貼り付けられた弾力性のある発泡芯材と、裏生地とによって構成されており、前記発泡芯材は、前記表生地及び前記裏生地よりも厚みが厚いことを特徴とする。そして、発泡芯材を貼り合わせた表生地は革のような厚みを有している。なお、ここでの「革のような厚み」とは、革製品に一般的に用いられる革の厚みを意味する。
【０００９】
上記構成のように、表生地と発泡芯材と裏生地の３層で構成されていることで、生地だけで構成された従来のカジュアルバックと比べて頑丈な造りとすることができる。しかも、発泡芯材が弾力性のある素材で構成されていることにより、表生地を表面側から押したときにも発泡芯材による反発力が働くので、表生地が革のような厚みを有していることと相まって、あたかも革製品であるかのような高級感を得ることができる。また発泡芯材が弾力性のある素材で構成されているので、型崩れしにくく、表生地に皺が生じにくいというメリットもある。さらに、底部が平らな面で構成されているので、床にハンドバックを置いたときにもハンドバックの上部が上に向いたままの状態で自立するので、フォーマル感を演出することができる。
【００１０】
上記構成において、前記発泡芯材は、０．２ｍｍ以上５ｍｍ以下の厚みであることが好ましい。このような厚みで発泡芯材を構成することにより、床にハンドバックを置いたときにハンドバックが自立しやすい。
【考案の効果】
【００１１】
本考案のハンドバックによれば、裏返し可能で、かつ型崩れしにくいハンドバックを提供することができる。
【図面の簡単な説明】
【００１２】
【図１】本考案のハンドバックの斜視図である。
【図２】本考案のハンドバックに用いる生地の模式的な断面図である。
【図３】特許文献１に開示のハンドバックの前側の斜視図である。
【図４】特許文献１に開示のハンドバックの後側の斜視図である。
【考案を実施するための形態】
【００１３】
以下において、本考案の詳細及び利点を詳述する実施形態を説明する。本実施形態における開示、請求の範囲及び図面によれば、当業者が本考案の技術的な内容を容易に理解し、過不足なく十分に実施することができる。本技術分野における常識を有する者であれば、本考案に関連する目的及び利益を容易に理解することができる。
【００１４】
図１は、本考案のハンドバックの斜視図である。本考案の一形態のハンドバック１０は、上部に開口が形成された略直方体形状のバック本体１と、この開口を開閉可能にバック本体１の上部に取り付けられた矩形状のかぶせ２と、このかぶせ２よりも上方に取り付けられ、上方に湾曲して延びる持ち手３とを備えている。バック本体１とかぶせ２とは互いに縫い付けられており、バック本体１と持ち手３とも同様に互いに縫い付けられている。ハンドバック１０の内側に縫い目が位置するようにされているので、図１ン示すように、各部の縫い目がハンドバック１０の外側から見えないようになっている。
【００１５】
バック本体１は、内側に収容空間を有し、略矩形状の平らな面で構成された底面と、底面の長辺から上方に延びる一対の側胴面１ａと、底面の短辺から上方に延びる一対の横マチ４とを有している。一対の側胴面１ａ及びそれを繋ぐ底面は、枚葉状のシートを折り返して形成されているが、これらは互いに別々のパーツのものを縫い合わせてもよい。横マチ４は、底面の短辺及び側胴面１ａの端部に縫い付けられている。本実施形態では、図１に示すように、側胴面１ａにチャックが設けられており、このチャックを介して内側に物品が収容できるようになっている。もちろん、チャックは必須の部材ではなく省略可能である。
【００１６】
次に、バック本体１の各部に用いる生地を説明する。図２は、本考案のハンドバック１０に用いられる生地の模式的な断面図である。本考案のハンドバック１０に用いる生地は、図２に示すように、表面に位置する表生地５と、この表生地５に貼り付けられた弾力性のある発泡芯材６と、裏生地７との３層で構成されている。
【００１７】
本考案の最大の特徴は、各部の生地に紙製のシートを用いるのではなく、上述の発泡芯材６を用いるところにある。ハンドバックの型崩れを防ぐために紙製のシートを用いると、しっかりとした強度のバックを作製することができるが、各部を縫い付けた後の裏返しの工程中に紙製の芯材が折れ曲がってしまった場合には元の形状に復元しなくなってしまう。その点、本考案のようにバック本体１の生地として紙製の材質のものを一切用いずに発泡芯材６を用いることにより、各部同士を縫い付けた後の裏返しの工程中で、生地が折れ曲がってしまっても元の形状に容易に復元させることが可能となる。しかも、発泡芯材６は、表生地５の強度を補強する役割も果たすことから、表生地５だけの場合と比べて型崩れしにくくなるので、ハンドバック１０を自立させることができる。これによりハンドバック１０のフォーマル感を演出することができる。さらに、表生地５に皺が生じにくくなるので、ハンドバック１０の質感を高めることも可能となり、フォーマルバックと同等の外観を得ることができる。
【００１８】
発泡芯材６は、弾力性のある材質であれば特に限定することなく用いることができる。発泡芯材６としては、発泡スチロールよりも弾力性がある軟質のものが適しており、適度な反発力がある材質であることが好ましい。上記発泡芯材６の厚みは、表生地５及び裏生地７の厚みよりも厚くなっている。この発泡芯材６の厚みは、材質によっても異なるが、０．２ｍｍ以上５ｍｍ以下であることが好ましい。０．２ｍｍ未満の厚みの場合には強度が十分ではなくハンドバック１１０が自立できなくなる可能性がある。一方、５ｍｍ以上の厚みであるとハンドバック１１０の形状が硬すぎて使いにくくなる可能性がある。
【００１９】
表生地５は、革のような厚みを有している。表生地５は、高級感を演出できる外観のものであれば特に限定することなく用いることができる。裏生地７は、表生地５に要求されるような外観は要求されないが、ハンドバック１０の内側に位置するので、堅牢度がよい材質のものを用いることが好ましい。
【００２０】
かぶせ２は、バック本体１の長辺と略同一長さの長辺を有する枚葉状のシート部材であり、その短辺を２分するように短辺の中央を長辺に平行に伸びるようにチャックが設けられている。このチャックを開閉することによりバック本体１の開口が開閉可能とされている。
【００２１】
持ち手３は、前側の側胴面１ａの上部と後側の側胴面１ａの上部とにそれぞれ１つずつ取り付けられている。かぶせ２よりも上側に持ち手３が取り付けられることにより、持ち手３でハンドバック１０を持ちながらハンドバック１０を開閉することが可能となる。
【符号の説明】
【００２２】
１  バック本体
２，１０２  かぶせ
３，１０３  持ち手
４  横マチ
５  表生地
６  発泡芯材
７  裏生地
１０，１１０  ハンドバック
【図１】
0003217190.tif 000003
【図２】
0003217190.tif 000004
【図３】
0003217190.tif 000005
【図４】
0003217190.tif 000006